(57)【要約】  電池パック（19）に対し、損傷してもよい微粘着シート（29）を貼り付け、この微粘着シート（29）を、筐体（3）を構成する表側キャビネット（7）に設けられた凹状の電池収容部（17）の底面（17a）に両面テープ（31）で接着することで、電池パック（19）を電池収容部（17）に固定する。
2015166663.tif 000002
【特許請求の範囲】
【請求項１】
電池パックが筐体内に収容された携帯機器であって、
前記電池パックには、微粘着性の粘着面を有する微粘着シートが前記粘着面を貼り付けることで巻き付けられ、
前記電池パックは、前記微粘着シートを前記筐体に接着材で接着することによって該筐体に固定されている
ことを特徴とする携帯機器。
【請求項２】
請求項１に記載された携帯機器において、
前記微粘着シートは、前記電池パックへの巻付け方向において前記電池パックの一部を開放している
ことを特徴とする携帯機器。
【請求項３】
請求項１又は２に記載された携帯機器において、
前記微粘着シートのうち前記粘着面が設けられた部分と前記電池パックの外形に沿う折曲げ部分とには、複数の貫通孔が形成されている
ことを特徴とする携帯機器。
【請求項４】
請求項２に記載された携帯機器において、
前記筐体には、前記電池パックを収容する凹状の電池収容部が設けられ、
前記電池パックは、前記微粘着シートで覆われていない部分を前記電池収容部の開口側に向けた状態で前記電池収容部に収容され、
前記電池パックと前記微粘着シートとの間には、前記電池パックのうち前記電池収容部の底面と対向する面に取り付けられ、該電池パックの前記微粘着シートで覆われていない部分に延び出る取外しシートが設けられている
ことを特徴とする携帯機器。
【請求項５】
請求項２に記載された携帯機器において、
前記筐体には、前記電池パックを背にして表示パネルが収容され、
前記電池パックは、前記微粘着シートで覆われていない部分を前記表示パネルとは反対側に向けた状態で前記筐体に収容されている
ことを特徴とする携帯機器。
【発明の詳細な説明】
【技術分野】
【０００１】
本開示は、電池パックを内蔵した携帯機器に関する。
【背景技術】
【０００２】
近年、携帯電話機やタブレット端末などの携帯機器の電池パックとして、リチウムイオン電池を用いた電池パックに代えて、高容量、高電圧及び軽量であるなどの良好な特性を有するリチウムイオンポリマー電池を用いた電池パックを採用する動きが進んでいる。【０００３】
リチウムイオン電池は、電解液をそのまま液状で使用していることから、パッケージングや整形が難しく、当該電池を覆う外装材としては厚みのある硬質な容器を採用する必要がある。これに対して、リチウムイオンポリマー電池は、電解液をゲル化して準固体状態で使用するため、液漏れし難く、パッケージングや整形が比較的容易である上に、外装材としてラミネート袋を採用することにより電池パックの小型化を図ることができる、といったメリットを有する。【０００４】
このリチウムイオンポリマー電池を用いた電池パックは、上記メリットを享受できる反面、外装をラミネート加工しているため寸法公差が大きく、充電による電池素子の化学変化で外形が膨張する、といったデメリットを有する。また、このような電池パックは、外装材が柔軟で剛性が低いため、携帯機器の筐体に係合爪などで固定することが困難であって、折り曲げたり強い衝撃を受けたりすると内部が短絡するおそれがあることから、携帯機器内の限られたスペースにおいて、筐体や回路基板に両面テープで直接貼り付けて固定されている。【０００５】
特許文献１には、上記の如く両面テープで貼り付けた電池パックを筐体から引き剥がす際に、その引き剥がし作業で電池パックにかかるストレスによって当該電池パックが変形したり破損したりすることを防止するバッテリ固定装置が開示されている。【０００６】
このバッテリ固定装置は、電池パックを内部に収容するカバー部を備え、カバー部が粘着剤で筐体に固定された構成を有する。また、カバー部には、複数の貫通孔が直線状に配列されてなる２列の貫通孔列が互いに平行に並べて形成され、これら貫通孔列の間に連接部が設けられている。そして、バッテリ固定装置は、この連接部を貫通孔列に沿ってカバー部から引き裂いて分離することでカバー部を開くことが可能であり、このようにして開いたカバー部から電池パックを破損等させずに取り出せるようになっている。
【先行技術文献】
【特許文献】
【０００７】
【特許文献１】特開２０１３−８９５９５号公報
【発明の概要】
【発明が解決しようとする課題】
【０００８】
特許文献１に開示されたバッテリ固定装置を用いれば、リサイクルや修理等のための製品分解時において、電池パックを筐体から取り出す際に電池パックにかかるストレスを軽減できるが、電池パックが寸法公差の範囲でもカバー部の収容空間に対して小さいサイズである場合には、当該電池パックは、カバー部に接着などで固定されていないため、カバー部との間に隙間が生じて筐体内でがたつく。そうなると、携帯機器を落下等させた際に、その衝撃によるストレスを大きく受けて電池パックが破損するおそれがある。【０００９】
本発明は、斯かる点に鑑みてなされたものであり、その目的とするところは、携帯機器の落下等による衝撃に起因して電池パックにかかるストレスを軽減し、且つ電池パックを破損させずに取り外し可能にすることにある。
【課題を解決するための手段】
【００１０】
上記の目的を達成するために、この発明では、電池パックに対し損傷してもよい微粘着シートを貼り付け、この微粘着シートを介して電池パックを筐体に接着するようにした。【００１１】
具体的には、本発明は、電池パックが筐体内に収容された携帯機器を対象とし、以下の解決手段を講じたものである。【００１２】
すなわち、本発明は、電池パックに、微粘着性の粘着面を有する微粘着シートが粘着面を貼り付けることで巻き付けられた構成を有する。ここでいう「微粘着性」とは、電池パックを簡単に位置ずれしないように保持でき、且つ電池パックから微粘着シートを剥がすときに、電池パックを大きく変形させずに容易に剥離可能な程度の粘着力で粘りつく性質を意味する。そして、本発明は、電池パックが、この微粘着シートを筐体に接着材で接着することによって筐体に固定されていることを特徴とする。【００１３】
上記構成によると、電池パックに微粘着シートを貼り付け、この微粘着シートを介して電池パックを筐体に固定するようにしたから、電池パックは筐体内で微粘着シートに保持され、携帯機器を落下等させた際の衝撃によって電池パックにかかるストレスを軽減することができる。また、リサイクルや修理等のための製品分解時には、電池パックを、微粘着シートごと筐体から引き剥がすか、若しくは微粘着シートから剥がすことで、筐体から取り出すことができる。前者の方法で電池パックを取り出す場合には、微粘着シートを破っても構わず、電池パックを筐体から取り出した後に電池パックから微粘着シートを剥がせばよい。この微粘着シートは、電池パックに対する粘着力が比較的弱いので、電池パックに過大なストレスをかけることなく簡単に剥がすことができる。
【発明の効果】
【００１４】
したがって、本発明によれば、携帯機器の落下等による衝撃に起因して電池パックにかかるストレスを軽減でき、且つ電池パックを破損させずに取り外すことができる。
【図面の簡単な説明】
【００１５】
【図１】図１は、本発明の実施形態１に係る携帯電話機の正面側から見た斜視図である。
【図２】図２は、本発明の実施形態１に係る携帯電話機の分解斜視図である。
【図３】図３は、本発明の実施形態１に係る携帯電話機の筐体を構成する表側キャビネットの制御回路基板を収容した状態での後面図である。
【図４】図４は、図３のIV−IV線に相当する箇所における携帯電話機の断面図である。
【図５】図５（ａ）は、本発明の実施形態１に係る微粘着シートが貼り付けられた状態の電池パックを示す斜視図であり、図５（ｂ）は、電池パックに微粘着シートを貼り付ける様子を示す斜視図である。
【図６】図６は、本発明の実施形態１に係る携帯電話機の表側キャビネットから電池パックを取り外す作業を示す断面図である。
【図７】図７（ａ）は、本発明の実施形態２に係る取外しシートが設けられた電池パックを示す斜視図であり、図７（ｂ）は、取外しシートを微粘着シートと共に電池パックに貼り付ける様子を示す斜視図である。
【図８】図８は、本発明の実施形態２に係る携帯電話機の表側キャビネットから電池パックを取り外す作業を示す断面図である。
【図９】図９（ａ）は、本発明の実施形態３に係る微粘着シートの平面図であり、図９（ｂ）は、この微粘着シートが貼り付けられた電池パックを示す斜視図であり、図９（ｃ）は、この微粘着シートを電池パックに貼り付ける様子を示す斜視図である。
【発明を実施するための形態】
【００１６】
以下、本発明に係る実施形態を図面に基づいて詳細に説明する。なお、以下の各実施形態は、本質的に好ましい例示であって、本発明、その適用物、或いはその用途の範囲を制限することを意図するものではない。
【００１７】
なお、以下の各実施形態では、説明の便宜上、携帯電話機について、表示パネルの正面側を「前」、背面側を「後」と称し、上下方向における上側を「上」、下側を「下」と称し、表示パネルを正面側から見たときの左右方向における左側を「左」、右側を「右」と称する。
【００１８】
《発明の実施形態１》
図１は、この実施形態１に係る携帯電話機１を前側から見た斜視図である。図２は、この携帯電話機１の分解斜視図である。図３は、この携帯電話機１の筐体３を構成する表側キャビネット７の制御回路基板１３を収容した状態での後面図である。また、図４は、図３のIV−IV線に相当する箇所における携帯電話機１の断面図である。
【００１９】
携帯電話機１は、図１及び図２に示すように、ストレートタイプのスマートフォンと呼ばれる携帯機器であり、正面視で略長方形状の扁平な筐体３内に、スピーカやマイク、カメラユニット、カードコネクタ、これらの動作を制御する制御回路基板１３、電池パック１９などの複数の電子部品を収容した構造を有する。
【００２０】
筐体３は、画像表示を行う表示パネル５ａを備えた表示装置５を前側に収容する表側キャビネット７と、この表側キャビネット７の後側に取り付けられた裏側キャビネット９と、この裏側キャビネット９の後側を覆うリヤカバー１１とで構成されている。表示パネル５ａは、タッチパネル付きのものであって、携帯電話機１のユーザーインターフェイスを構成している。
【００２１】
表側キャビネット７は、図２及び図４に示すように、略長方形枠状の樹脂製フレーム７ａを有し、このフレーム７ａの内側開口を塞ぐように剛性部材としてステンレス鋼板などの金属板７ｂがインサート成形されてなる。この表側キャビネット７のフレーム７ａには、後方へ壁状に突出した内側壁部７ｃが設けられている。
【００２２】
裏側キャビネット９は、平面視で表側キャビネット７に対応する外形を有する樹脂成形品である。この裏側キャビネット９の外周縁部には、前方へ壁状に突出した外側壁部９ａが設けられている。この外側壁部９ａは、表側キャビネット７の内側壁部７ｃの外側を延びていて、その内側壁部７ｃと重ね合わせられている。裏側キャビネット９のうち外側壁部９ａの基端に沿った内側部分と表側キャビネット７の内側壁部７ｃの先端部とは、両面テープや接着剤などの接着材８で貼り合わせられている。
【００２３】
これら表側キャビネット７と裏側キャビネット９とは、接着材８による接合に代えて、ビス等による締結で結合されていてもよく、また、接着材８による接合とビス等による締結を併用して互いに結合されていてもよい。この裏側キャビネット９において後述する電池パック１９に対応する箇所を含む部分には、大面積の開口１０が形成されていて、この開口１０を塞ぐように防水シート１２が両面テープや接着剤などの接着材１４で当該開口１０の周縁部に外周縁部を貼り付けることで取り付けられている。
【００２４】
リヤカバー１１は、平面視で表側キャビネット７に対応する外形を有する浅い略長方形皿状の樹脂成形品である。このリヤカバー１１の外周縁部には、前方又は内方に突出した複数の係止爪１１ａ，１１ｂが設けられている（図４参照）。リヤカバー１１は、これら係止爪１１ａ，１１ｂを表側キャビネット７に設けられた係合孔７ｄに係合させることで、表側キャビネット７に結合されている。裏側キャビネット９は、リヤカバー１１に覆われて、表側キャビネット７とリヤカバー１１との間に収容されている。
【００２５】
表側キャビネット７の後側で裏側キャビネット９との間には、図２及び図３に示すように、制御回路基板１３が上半部に収容され、外部電源と接続される外部接続ユニット１５が下半部に収容されている。そして、表側キャビネット７においてこれら制御回路基板１３と外部接続ユニット１５との間で表示パネル５ａの後方に位置する部分には、前側に凹む略長方形凹状の電池収容部１７が設けられている。この電池収容部１７には、扁平な略長方形板状の電池パック１９が収容されている。
【００２６】
電池収容部１７の底面１７ａ、つまり電池パック１９が設置される電池パック設置面１７ａは、表側キャビネット７の金属板７ｂの一部で構成されている。この電池収容部１７の電池パック設置面１７ａのうち左側寄りの部分には、図３に示すように、表示パネル５ａと制御回路基板１３とを接続するパネル用フレキシブルプリント配線基板（Flexible Printed Circuit、以下、ＦＰＣと称する）２１と、表示装置５を構成するバックライトと制御回路基板１３とを接続するライト用ＦＰＣ２３とが、当該電池収容部１７を上下方向に縦断するようにそれぞれ延びている。
【００２７】
本実施形態では、パネル用ＦＰＣ２１が右側に配置され、ライト用ＦＰＣ２３が左側に配置されている。そして、ライト用ＦＰＣ２３は、電池収容部１７の電池パック設置面１７ａにおける左縁から右側（図３で電池パック設置面１７ａの右側の縁から左側）に間隔をあけて配置されている。そのことで、電池パック設置面１７ａのうち左縁沿いの部分には、後述する微粘着シート２９を接着するための被接着面部２５が表側キャビネット７の金属板７ｂを上記両ＦＰＣ２１，２３から露出させて設けられている。
【００２８】
また、電池パック設置面１７ａのうち右側寄りの部分には、制御回路基板１３と外部接続ユニット１５とを接続する外部接続用ＦＰＣ２７が、当該電池収容部１７を上下方向に縦断するように延びている。この外部接続用ＦＰＣ２７は、電池パック設置面１７ａにおける右縁から左側（図３で電池パック設置面１７ａの左側の縁から右側）に間隔をあけて配置されている。そのことで、電池パック設置面１７ａのうち右縁沿いの部分には、後述する微粘着シート２９を接着するための被接着面部２５が、表側キャビネット７の金属板７ｂを外部接続用ＦＰＣ２７から露出させて設けられている。
【００２９】
図５（ａ）は、微粘着シート２９が貼り付けられた状態の電池パック１９の斜視図である。図５（ｂ）は、電池パック１９に微粘着シート２９を貼り付ける様子を示す斜視図である。電池パック１９は、リチウムイオンポリマー電池を用いたものである。リチウムイオンポリマー電池は、電解液に高分子（ポリマー）を含ませてゲル化したポリマー電解質を用い、このゲル状のポリマー電解質と正極及び負極とを含む電池素子を柔軟な外装材であるラミネート袋２０に封入してなる剛性の低い、いわゆるパウチタイプ或いはラミネート外装タイプと呼ばれるタイプの電池である。
【００３０】
この電池パック１９は、図５（ａ）に示すように、制御回路基板１３に接続するためのＦＰＣ２８を有し、このＦＰＣ２８が制御回路基板１３に接続されていることにより、制御回路基板１３に給電可能な状態で電池収容部１７に収容されている。表示パネル５ａは、図４に示すように、この電池パック１９を背にして表側キャビネット７に収容されている。電池パック１９には、片方の面全体に粘着面２９ａを有する柔軟な微粘着シート２９が、粘着面２９ａを貼り付けることで巻き付けられている。
【００３１】
微粘着シート２９は、ＰＥＴ（Polyethylene terephthalate）などの難燃性を有する汎用プラスチックからなる柔軟な基材を有し、この基材の片面全体に糊の塗布により粘着面２９ａを形成することで作製されている。この微粘着シート２９は、法規制等で表記が必要な電池ラベル（不図示）の表記が当該微粘着シート２９に覆われても見えるように透明性を有する。
【００３２】
微粘着シート２９は、広げた状態で略長方形状に形成されている。微粘着シート２９の上下方向における幅は、電池パック１９の上下方向における幅と同程度である。また、微粘着シート２９の電池パック１９への巻付け方向における長さは、電池パック１９の前面、後面及び左右両側面に沿った外周りの長さよりも短い長さである。
【００３３】
この微粘着シート２９の粘着面２９ａは、電池パック１９を簡単に位置ずれしないように保持でき、且つ当該微粘着シート２９を剥がすときに、電池パック１９の外装材であるラミネート袋２０を大きく変形させずに容易に剥離可能な程度の微粘着性を有している。すなわち、この粘着面２９ａを形成する糊には、この程度の微粘着性を発揮するものが用いられる。
【００３４】
微粘着シート２９のうち長さ方向における中央部分は、電池パック１９の前面に貼り付けられている。微粘着シート２９のうち長さ方向における両側部分は、電池パック１９の後面側に折り曲げられて、電池パック１９の左右両側面から後面に亘って貼り付けられている。この微粘着シート２９の長さ方向における両側端は、電池パック１９の後面で左右方向に互いに対峙している。
【００３５】
そして、微粘着シート２９は、電池パック１９への巻付け方向において電池パック１９の一部を後方に開放している。つまり、微粘着シート２９は、電池パック１９の巻付け方向における周囲の一部だけに貼り付けられ、その巻付け方向における全周に亘っては貼り付けられていない。これによって、充電による膨張に起因して電池パックが破損することを防止できる。このことについて、以下に詳述する。
【００３６】
電池パック１９は、充電時において電池素子の電極（例えば負極）の分子構造が変化することで当該電極が膨張し、これに伴い外形が膨張することがある。上記特許文献１の構成において、電池パックがカバー部との間の隙間をなくせるサイズである場合には、このように電池パックの外形が膨張すると、その周囲を覆うカバー部で締め付けられた状態となる。そうなると、電池パックに撓みなどの変形が生じ、その変形によるストレスを受けて電池パックが破損するおそれがある。
【００３７】
これに対して、本実施形態の微粘着シート２９は、上述の構成により、電池パック１９の外形が膨張しても、この電池パック１９の膨張を許容するようになっている。これによって、電池パック１９の膨張時に電池パック１９に撓みなどの変形が生じるのを抑えることができ、当該変形によって電池パック１９にかかるストレスを軽減できる。その結果、電池パック１９の膨張時の変形に起因する破損を防止できる。
【００３８】
上記微粘着シート２９は、図５（ｂ）に示すように、まず、当該微粘着シート２９の中央部分を電池パック１９の前面に貼り付け、その後に、微粘着シート２９の両端側部分を電池パック１９の後面に折り曲げて電池パック１９に貼り付けることで、全体として電池パック１９に巻き付けた状態に貼り付けられる。
【００３９】
電池パック１９は、この微粘着シート２９からの開放部分、つまり微粘着シート２９で覆われていない部分を、表示パネル５ａとは反対側である電池収容部１７の開口側（後側）に向けた状態で電池収容部１７に収容されていて、微粘着シート２９の長さ方向における両端部の間で微粘着シート２９から後面を部分的に露出させている。この電池パック１９の前方には表示パネル５ａが配置されているが、上記構成によれば、電池パック１９の膨張は主に微粘着シート２９からの開放側に生じることとなるので、表示パネル５ａが電池パック１９の膨張によって背面側から圧迫されるのを抑制でき、表示パネル５ａでの表示に滲みなどの不具合が発生することを防止できる。
【００４０】
そして、電池パック１９は、図２及び図４に示すように、この微粘着シート２９を、接着材として取扱いの容易な両面テープ３１で電池収容部１７の電池パック設置面１７ａに接着することにより、電池収容部１７に固定されている。両面テープ３１は、上下方向に細長い帯状に形成されていて、各種ＦＰＣ２１，２３，２７に重ならないように電池パック設置面１７ａにおける左右両側の被接着面部２５にそれぞれ貼り付けられている。そして、微粘着シート２９のうち電池パック１９の前面に貼り付けられた部分の左右両端部が、これら両面テープ３１で電池パック設置面１７ａの被接着面部２５にそれぞれ貼り付けられている。
【００４１】
こうして、電池パック１９は、微粘着シート２９を介して電池収容部１７の電池パック設置面１７ａに貼り付けられると共に、微粘着シート２９で保持されている。これによって、携帯電話機１を落下等させた際の衝撃によって電池パック１９にかかるストレスを軽減することができる。
【００４２】
図６は、携帯電話機１から電池パック１９を取り外す作業を示す断面図である。上記構成の携帯電話機１から電池パック１９を取り外すには、まず、リヤカバー１１を表側キャビネット７から取り外し、次いで、裏側キャビネット９から防水シート１２を取り外すことにより、電池パック１９が収容されている電池収容部１７を外部に露出させた状態とする。
【００４３】
そして、図６に示すように、電池パック１９の後面から微粘着シート２９の両端部を引き剥がし、その引き剥がした微粘着シート２９の両端部を左右両側に引っ張ることで、微粘着シート２９ごと電池パック１９を電池収容部１７から取り出す。このとき、微粘着シート２９は破れても構わない。
【００４４】
しかる後、電池パック１９から微粘着シート２９を剥がす。微粘着シート２９は、電池パック１９に対する粘着力が比較的弱いので、電池パック１９に過大なストレスをかけることなく簡単に剥がすことができる。こうして、携帯電話機１から電池パック１９を取り外すことができる。
【００４５】
この実施形態１によると、携帯電話機１の落下等による衝撃や充電による膨張に起因して電池パック１９にかかるストレスを軽減でき、且つ電池パック１９を破損させずに携帯電話機１から取り外すことができる。その結果、修理後に同じ電池パック１９を再利用できるので、修理費用が抑えられると共に、資源保護の点でもメリットが大きい。
【００４６】
《発明の実施形態２》
この実施形態２に係る携帯電話機１は、取外しシート３３が電池パック１９に設けられている点で上記実施形態１と異なる。なお、以降の各実施形態では、微粘着シート２９の構成や取外しシート３３が付加されている点で上記実施形態１と異なる他は、携帯電話機１について上記実施形態１と同様に構成されているので、同一の構成箇所は図１〜図６に基づく上記実施形態１の説明に譲ることにして、その詳細な説明を省略する。
【００４７】
図７（ａ）は、この実施形態２に係る取外しシート３３が設けられた電池パック１９を示す斜視図である。図７（ｂ）は、取外しシート３３を微粘着シート２９と共に電池パック１９に貼り付ける様子を示す斜視図である。この実施形態２における電池パック１９と微粘着シート２９との間には、図７（ａ）に示すように、電池パック１９を電池収容部１７から取り出すのに用いる長方形帯状の取外しシート３３が設けられている。
【００４８】
取外しシート３３は、電池パック１９の左右どちらか一方の側面（図７（ａ）に示す例では右側面）を一部覆い、電池パック１９の前面から後面に跨がった状態で、電池パック１９と微粘着シート２９とに挟まれている。取外しシート３３の一端側部分は、電池パック１９のうち微粘着シート２９を介して電池パック設置面１７ａと対向する前面に、両面テープや接着剤などで取り付けられている。また、取外しシート３３の他端側部分は、電池パック１９のうち微粘着シート２９からの開放部分にまで延び出ており、電池パック１９の後側で微粘着シート２９から露出している。
【００４９】
この取外しシート３３は、図７（ｂ）に示すように、まず、一端側部分を電池パック１９の前面に取り付け、その後、電池パック１９に微粘着シート２９を貼り付けるときに、他端側部分を微粘着シート２９と共に電池パック１９の後面側に折り曲げてその微粘着シート２９で部分的に覆って電池パック１９に貼り付けることで、電池パック１９に設けられる。
【００５０】
図９は、携帯電話機１から電池パック１９を取り外す作業を示す断面図である。上記構成の電池パック１９を携帯電話機１から取り外すには、まず、上記実施形態１と同様にして、電池パック１９が収容されている電池収容部１７を外部に露出させた状態とする。次いで、図９に示すように、電池パック１９の後面から微粘着シート２９の両端部を引き剥がす。しかる後、取外しシート３３のうち電池パック１９の後側にある部分を後方に引っ張ることで微粘着シート２９から電池パック１９を剥がし、電池パック１９を電池収容部１７から取り出す。こうして、携帯電話機１から電池パック１９を取り外すことができる。
【００５１】
この実施形態２によると、電池パック１９に設けられた取外しシート３３を引っ張るだけで、電池パック１９を破損させることなく電池収容部１７から簡単に取り出すことができ、電池パック１９の取出し作業を容易化できる。
【００５２】
《発明の実施形態３》
この実施形態３に係る携帯電話機１は、電池パック１９に貼り付けられた微粘着シート２９の構成が上記実施形態１と異なる。図９（ａ）は、この実施形態３に係る微粘着シート２９の平面図である。図９（ｂ）は、この微粘着シート２９が貼り付けられた電池パック１９を示す斜視図である。図９（ｃ）は、この微粘着シート２９を電池パック１９に貼り付ける様子を示す斜視図である。
【００５３】
この実施形態３の微粘着シート２９は、複数の貫通孔３５，３７を有する。具体的には、微粘着シート２９のうち電池パック１９の前面に貼り付けられる部分には、複数の第１貫通孔（図９（ａ）で示す例では５つの第１貫通孔）３５が互いに間隔をあけて形成されている。これら複数の第１貫通孔３５は、微粘着シート２９を電池パック１９に貼り付けたときに、微粘着シート２９の粘着面２９ａと電池パック１９との間に巻き込んだ空気を外部に逃がすためのものである。
【００５４】
また、微粘着シート２９のうち電池パック１９の外形に沿う折曲げ部分、つまり電池パック１９の左右両側面に貼り付けられる部分には、複数の第２貫通孔（図９（ａ）で示す例では７つの第２貫通孔）３７が上下方向に一列に配列した状態に形成されている。これら複数の第２貫通孔３７は、微粘着シート２９と電池パック１９との間に巻き込んだ空気を外部に逃がすことに加え、微粘着シート２９の折曲げ部分におけるコシ（弾力）を弱めるためのものであって、第１貫通孔３５よりも大径に形成されている。
【００５５】
この微粘着シート２９は、図９（ｃ）に示すように、上記実施形態１と同様な手順で電池パック１９に巻き付けた状態に貼り付けられる。
【００５６】
この実施形態３によると、微粘着シート２９を電池パック１９に貼り付けたときに、微粘着シート２９と電池パック１９との間に巻き込んだ空気を第１貫通孔３５及び第２貫通孔３７から逃がせるようにしたので、微粘着シート２９と電池パック１９との間に気泡ができにくくなり、当該気泡の存在に起因して微粘着シート２９による電池パック１９の保持力が低下することを抑制できる。
【００５７】
また、この実施形態３によると、微粘着シート２９の折曲げ部分のコシを複数の第２貫通孔３７で弱めるようにしたので、微粘着シート２９の長さ方向における両端側部分が微粘着のために微粘着シート２９のコシで浮き上がることを防止できる。これによって、微粘着シート２９の浮き上がりに起因して微粘着シート２９による電池パック１９の保持力が低下することを抑制できる。
【００５８】
なお、上記実施形態１〜３では、微粘着シート２９が電池パック１９への巻付け方向において電池パック１９の一部を後方に開放している形態を例に挙げて説明したが、これに限らず、微粘着シート２９は、電池パック１９に対しその前面、後面及び左右両面の全周に亘って巻き付けられていてもよい。そして、微粘着シート２９の両端部は、電池パック１９の外周面上で重ね合わせられていても構わない。この場合には、電池パック１９の膨張を許容する観点から、微粘着シート２９の両端部のうち少なくとも外側に位置する一端部には粘着面が設けられておらず、微粘着シート２９の重ね合わせ部分同士が接着されていないことが好ましい。
【００５９】
また、上記実施形態１〜３では、電池パック１９がリチウムイオンポリマー電池を用いた電池パックであるとしたが、電池パック１９としては、これ以外のパウチタイプ（ラミネート外装タイプ）の電池パックを採用することもできる。例えば、電池パック１９は、ゲル状の電解質に代えて電解液を含む電池素子をラミネート袋２０に封入してなるリチウムイオン電池を用いたものであってもよい。
【００６０】
また、上記実施形態１〜３では、電池パック１９に貼り付けられた微粘着シート２９が、両面テープ３１で電池収容部１７の電池パック設置面１７ａに接着されているとしたが、両面テープ３１に代えて接着剤で電池パック設置面１７ａに接着されていてもよい。
【００６１】
また、上記実施形態１〜３では、微粘着シート２９の片面全体に粘着面２９ａが設けられている形態を例に挙げて説明したが、これに限らず、粘着面２９ａは、微粘着シート２９の片面に部分的に設けられていてもよい。また、微粘着シート２９の粘着面２９ａは、糊の塗布によって形成されているとしたが、これに限らず、粘着面２９ａは、基材の片面に両面テープを貼り付けることで設けられていても構わない。
【００６２】
また、上記実施形態３では、微粘着シート２９に複数の第２貫通孔３７が形成されている形態を例に挙げて説明したが、これに限らず、第２貫通孔３７は、微粘着シート２９のうち電池パック１９の外形に沿う折曲げ部分、つまり電池パック１９の左右両側面に貼り付けられる部分に、上下方向に細長く延びるスリット形状などで１つだけ設けられていても構わない。
【００６３】
また、上記実施形態１〜３では、本発明に係る携帯機器について、携帯電話機１を例に挙げて説明したが、本発明はこれに限らず、ＰＨＳ（Personal Handy-phone System）、ＰＤＡ（Personal Digital Assistant）、パソコン、モバイルツール、電子辞書、タブレット端末、ゲーム機などの他の携帯機器にも適用することが可能である。
【符号の説明】
【００６４】
１      携帯電話機（携帯機器）
３      筐体
５      表示装置
５ａ    表示パネル
７      表側キャビネット
７ａ    フレーム
７ｂ    金属板
７ｃ    内側壁部
７ｄ    係合孔
８      接着材
９      裏側キャビネット
９ａ    外側壁部
１０    開口
１１    リヤカバー
１１ａ  係止爪
１１ｂ  係止爪
１２    防水シート
１３    制御回路基板
１４    接着材
１５    外部接続ユニット
１７    電池収容部
１７ａ  電池パック設置面
１９    電池パック
２１    パネル用ＦＰＣ
２３    ライト用ＦＰＣ
２５    被接着面部
２７    外部接続用ＦＰＣ
２８    電池パックのＦＰＣ
２９    微粘着シート
３１    両面テープ
３３    取外しシート
３５    第１貫通孔
３７    第２貫通孔
【図１】
2015166663.tif 000003
【図２】
2015166663.tif 000004
【図３】
2015166663.tif 000005
【図４】
2015166663.tif 000006
【図５】
2015166663.tif 000007
【図６】
2015166663.tif 000008
【図７】
2015166663.tif 000009
【図８】
2015166663.tif 000010
【図９】
2015166663.tif 000011
【国際調査報告】
2015166663.tif 000012
2015166663.tif 000013
2015166663.tif 000014
2015166663.tif 000015